【事件の表示】
　上記当事者間の登録第４５２３１８２号商標の登録取消審判事件について、次のとおり審決する。
【結　論】
　本件審判の請求は、成り立たない。
　審判費用は、請求人の負担とする。
【理　由】
１　本件商標
　本件登録第４５２３１８２号商標（以下「本件商標」という。）は、別掲のとおりの構成よりなり、平成１２年１０月２０日に登録出願され、「燃料」を含む第４類、第１９類、第３７類及び第４０類に属する商標登録原簿記載のとおりの商品及び役務を指定商品及び指定役務として、平成１３年１１月１６日に設定登録されたものである。
　
２　請求人の主張
　請求人は、商標法第５０条第１項の規定により、本件商標の指定商品中、第４類「燃料」について登録を取り消す、審判費用は被請求人の負担とするとの審決を求め、その理由及び答弁に対する弁駁を要旨次のように述べ、証拠方法として、甲第１号及び第２号証を提出した。
（１）請求の理由
　本件商標は、請求人が調査するも、その指定商品中、第４類「燃料」について、継続して３年以上日本国内において商標権者、専用使用権者又は通常使用権者のいずれによっても使用された事実がないから、商標法第５０条第１項の規定により取り消されるべきものである。
（２）第１答弁に対する弁駁
　ア　被請求人は、その指定商品中の第４類「燃料」について、継続して販売している旨を主張している。しかしながら、提出された証拠によっては、被請求人が本件商標をその指定商品について使用していることは立証されておらず、本件商標を使用していないものといわざるを得ない。以下、乙各号証につき詳述する。
　イ　乙第１号証について
　乙第１号証は、２００８年３月５日付け請求書（控）であり、当該請求書から被請求人は軽油を販売していた事実が伺える。
　他方、当該請求書（控）に本件商標は一切使用されていないことが明らかである。したがって、乙第１号証は、本件商標を使用していることを立証するものではない。
　ウ　乙第２号証について
　乙第２号証は、窓付き封筒であり、当該窓付き封筒に本件商標が付されている点は請求人も認める。また、商標の使用には「取引書類」に標章を付し、これを頒布等する行為が含まれることは請求人も認めるところである（商標法第２条第３項第８号）。
　しかしながら、乙第２号証は、単なる窓付き封筒であり、指定商品との関係は不明である。したがって、乙第２号証は、被請求人が本件商標を指定商品「燃料」において使用していることを立証するものではない。
　仮に百歩譲って、窓付封筒が商標法第２条第３項第８号にいう「取引書類」に該当するとしても、頒布の時期について何ら立証されておらず、本件商標の使用証拠とはなりえないものといえる。
　なお、被請求人は、乙第１号証の請求書（控）を乙第２号証の窓付き封筒に入れて送付したことを述べ、これら２点を併せて本件商標が指定商品である「燃料」に使用されていたことを立証せんとしている。しかしながら、その事実は、何ら立証されていない。また、仮に乙第１号証の請求書（控）を乙第２号証の窓付封筒に入れて送付した事実があったとしても、乙第１号及び第２号証が、その指定商品「燃料」に使用していた事実を示すものではないことは、上述のとおりであり、かかる主張に理由が無いことは明らかである。
（３）第２答弁に対する弁駁
　請求人は、被請求人が提出した第２答弁及び提出された証拠（乙第３号ないし第８号証）に対し、何ら弁駁していない。
　
３　被請求人の答弁
　被請求人は、結論同旨の審決を求めると答弁し、その理由を要旨以下のように述べ、証拠方法として、乙第１号ないし第８号証を提出した。
（１）第１答弁
　ア　被請求人は、本件商標の指定商品中、第４類「燃料」について、継続して販売しており、乙第１号証のとおり２００８年２月に軽油を販売している。
　イ　販売先には、納品した軽油を納品場所別に日付、数量、単位、単価、金額のほか代金決済条件等を記載した請求書（乙第１号証）を発行している。
　ウ　請求書の送付には、本件商標を付した窓付き封筒（乙第２号証）を使用している。
（２）第２答弁
　ア　乙第１号証は、被請求人がシステム開発会社であるパシフィックシステム株式会社に被請求人の取扱商品に係る販売システム開発を依頼し、平成１４年に納品された「ＴＣＴ新基幹システム」を使用して、被請求人水戸支店の事務担当者が、システム端末を使用して平成２０年３月５日に出力したものである。
　ＴＣＴ新基幹システムでは、取引先の締切日毎に該当する請求データの取り纏めと同時にシステム端末から出力するための請求書と請求書（控）のＰＤＦファイルを作成して請求書、請求書（控）を出力している。ＰＤＦファイルの作成は請求書と請求書（控）がセットになっており、片方だけ作成することはできない。
　乙第１号証が、「ＴＣＴ新基幹システム」を使用して出力されたものであることおよび請求書が出力されていることは乙第３号証パシフィックシステム株式会社の検証報告書のとおりである。
　イ　乙第１号証の請求書（控）と同時に作成された請求書は、当該取引先に送付しており、軽油代金を含む金２，３８１，３８５円は、約定どおり平成２０年３月２５日に株式会社みずほコーポレート銀行本店の被請求人普通預金口座に送金手数料８４０円が控除された金２，３８０，５４５円で振り込まれている。（乙第４号証みずほコーポレート銀行の預金取引明細表）
　ウ　乙第２号証の窓付き封筒は、平成１８年１１月１０日に、被請求人の印刷発注先である光村印刷株式会社に、被請求人が同社指定様式による注文書（乙第５号証光村印刷株式会社への注文書）を用いて角２、請求書用窓付の封筒２種類、角２は５００枚入り、請求書用窓付は１，０００枚入りを１箱ずつファクシミリにて発注している。
　光村印刷株式会社は、平成１８年１１月２４日に、注文を受け印刷した角２の封筒５００枚、請求書用窓付の封筒１，０００枚を被請求人水戸支店宛てに発送し、被請求人水戸支店で受領している。
　平成１８年１１月１０日、光村印刷株式会社への発注の前に、請求書用窓付封筒を使用する被請求人水戸支店の事務担当者から、被請求人にファクシミリで送信された本件商標が印刷されている請求書用窓付封筒のサンプル（乙第５号証光村印刷株式会社への注文書２枚目）が、事業所名称が被請求人の組織改正前の「水戸営業所」であったため、被請求人は、請求書用窓付封筒のサンプルに、水戸営業所から水戸支店へ訂正がある旨を加筆している。注文書にも同様の加筆をして光村印刷株式会社営業２部４課の営業担当者宛てに注文書と一緒にファクシミリで送信している。
　光村印刷株式会社は、被請求人に納品した角２および本件商標が印刷された請求書用窓付封筒の代金、校正代金、消費税の合計５１，１３５円を被請求人に請求している。（乙第６号証光村印刷株式会社の証明書、乙第７号証光村印刷株式会社の請求書）
　エ　請求書は、折り位置を示す「▼」に合わせ山折をすれば、封入した際宛名が窓位置に合うようにレイアウトされている。
　被請求人水戸支店の事務担当者は、乙第２号証の封筒に、システム端末から出力された請求書を、この手順により封入し送付手続きをしている。（乙第８号証　乙第１号証軽油の請求書（控）の写し）
　オ　以上のとおり請求書と窓付封筒は一体のものであり、本件商標をその指定商品「燃料」について使用していることは明白である。
　
４　当審の判断
（１）乙第１号証は、２００８年３月５日付け「請求書（控）」と認められるところ、該請求書（控）によれば、被請求人は軽油（燃料）を販売していることが認められるものの、本件商標は一切使用されていない。
（２）乙第２号証は、「窓付き封筒」と認められるところ、前記封筒には、本件商標と社会通念上同一のものと認められる商標が表示されている。
（３）「水戸支店」の名称が入った前記封筒は、乙第５号証の「注文書」によって平成１８年１１月１０日に注文が出され、乙第６号証の「証明書」によれば、同月２４日に１，０００枚（１箱）が「水戸支店」に納品されたことが認められる。
　そして、乙第７号証の「請求書」によれば、納品後の同月３０日付けで、光村印刷株式会社よりティーシートレーディング株式会社宛に、合計１，５００枚分の前記封筒を含む封筒代金の請求があったことが認められる。
（４）そうすると、前記封筒に、請求書の送付日等が記載されていないとしても、前記封筒が、平成１８年（２００６年）１１月末以降、請求書の送付用として使用できる状況にあったことが認められ、実際、乙第４号証の「預金取引明細書」によれば、取引先より２００８年３月２５日付けで、乙第１号証に係る「請求書」に対応した金額の入金があったことが認められるものであるから、被請求人が、本件審判請求の登録前３年以内である２００８年３月５日付けで出力した乙第１号証に係る「請求書」の送付の際に、前記封筒を使用したものと優に推認できるものである。
　そして、前記封筒に本件商標を付する行為は、商標法第２条第３項第８号の「商品に関する取引書類に標章を付して頒布する行為」に該当するものである。
（５）してみれば、本件商標は、本件審判の請求の登録前３年以内に、その請求に係る指定商品中「軽油」についての使用があったものと推認できる。
　したがって、本件商標は、商標法第５０条第１項の規定により、請求に係る指定商品「燃料」についての登録を、取り消すことはできない。
　よって、結論のとおり審決する。